(57)【要約】【課題】先端部からの手の滑落を防止して、握力の弱い高齢者等であっても安全に使用することのできる補助手摺を提供する。【解決手段】基端側が壁面又は支柱部材Ａに取着される取着部２とされる一方先端側が自由端とされ、壁面又は支柱部材Ａから張り出した状態で設けられる補助手摺１であって、手摺本体４と、この手摺本体４の先端に設けられ、手摺本体４に置かれた使用者の手が手摺本体４の先端から滑落するのを防止する滑落防止部５と、を備えた構成とした。【選択図】図３
2018178606.tif 000002
【特許請求の範囲】
【請求項１】
基端側が壁面又は支柱部材に取着される取着部とされる一方先端側が自由端とされ、前記壁面又は支柱部材から張り出した状態で設けられる補助手摺であって、
手摺本体と、
この手摺本体の先端に設けられ、該手摺本体に置かれた使用者の手が該手摺本体の先端から滑落するのを防止する滑落防止部と、を備えたことを特徴とする補助手摺。
【請求項２】
請求項１に記載の補助手摺において、
前記滑落防止部は、その表面が球面状とされていることを特徴とする補助手摺。
【請求項３】
請求項１又は２に記載の補助手摺において、
さらに、一端が前記手摺本体の下面側に連結され、他端が前記取着部と同形態の取着部とされた支持杆を有することを特徴とする補助手摺。
【請求項４】
請求項３に記載の補助手摺において、
前記支持杆の一端は、前記手摺本体の先端において該手摺本体と連結されたことを特徴とする補助手摺。
【請求項５】
請求項１から４までの何れか一に記載の補助手摺において、
前記滑落防止部の一部又は全体が蓄光部とされたことを特徴とする補助手摺。
【発明の詳細な説明】
【技術分野】
【０００１】
本発明は、補助手摺、より詳細には、特に高齢者や身体障害者などが立ち上がったり腰を降ろしたりする際に自分の身体を支えるのに好適な補助手摺に関する。
【背景技術】
【０００２】
高齢者や身体障害者（以下、高齢者という。）は、健常者に比べて遥かに転倒し易く、住み慣れた住宅であっても油断ならない。高齢者等はひとたび転倒すると、その大半が打撲や擦過傷などの怪我を負い、最悪の場合縫合手術が必要となるような傷を負ったり骨折したりといった重傷に至る。これについては内閣府による「高齢者の住宅と生活環境に関する意識調査（平成２２年）」でも報告されている。また、転倒事故は階段や玄関など段差のある場所に留まらず、健常者にとっては何でもない同一平面でも多発しているのが現状である。
【０００３】
このような転倒事故を防止するものとして、これまで種々の器具が提案されている。
【０００４】
例えば、特許文献１には、高齢者等が立ち上がる際などに手で持って身体を支えるための突っ張り型の手摺が開示されている。この手摺は、下端が床に当接する下部パイプと、この下部パイプ内に挿入され上端が天井に当接する上部パイプと、上部ホルダー及び下部ホルダーと、回動レバーとから構成され、回動レバーを回動するだけで天井と床との間に突っ張らせて固定することができるものである。また、この手摺には、下部パイプに正面コ字状の把持部を設けることができるようになっており、上下の各パイプだけでなく、この把持部を持つことによって身体を支えることができるものである。
【０００５】
また、特許文献２には、医療、福祉施設及び一般住宅等のトイレや浴室に設置され、手摺が垂直状態と水平状態との間で回動して、高齢者等の補助具として利用される可動式手摺が開示されている。この手摺は、手摺部材の先端部がＵ字状に屈曲されており、先端部にぶつかっても怪我をしないように図られている。
【先行技術文献】
【特許文献】
【０００６】
【特許文献１】特開２００８−７５３８３号公報
【特許文献２】特開２０１１−１０６２５０号公報
【発明の概要】
【発明が解決しようとする課題】
【０００７】
ところで、高齢者等は一般的に握力が健常者に比べて弱いため、壁面に垂直に取り付けられた手摺や、上記特許文献１に開示されるような支柱状の手摺を掴んで自分の身体を十分に支えることができない。したがって、握力の弱い高齢者にとっては、特許文献１に見られるような支柱から張り出したり、特許文献２に見られるような壁面から張り出した手摺の方が、強く握る必要がなく掌を乗せる感覚で使用できることから、縦方向の支柱よりも自分の身体を支えるのに都合がよい。
【０００８】
しかしながら、そのような手摺の形状を見てみると、特許文献１及び特許文献２に代表されるように、衝突時の安全確保の観点から手摺の先端部が丸められている。つまり、特許文献１にあるような把持部にあっては全体の形状が正面コ字状に形成されているが、これを構成する横杆と縦杆との接続部は曲線状とされている。また、特許文献２にあるような手摺にあっては先端部がＵ字状とされている。このため、高齢者等が、例えば立ち上がろうとして上記形状の手摺の先端部近くを掴んで体重をかけた際、手摺をしっかりと握っていないと、立ち上がり動作では手摺の先端方向に向かって体重移動が生じることから、手摺の先端部から手が滑り落ちるおそれが懸念される。もし、立ち上がり動作時に手摺の先端部から手が滑落すると、手摺で身体を支えている分転倒のショックがより大きく、その結果重傷事故を招くことが危惧される。また、例えば腰を降ろそうとする動作において上記の曲線部分を握った場合に手の踏ん張りが効かず、このため当該動作がうまくできなかったり転倒事故を招いたりといったことも懸念されていた。さらに、上記いずれの形態の手摺にあっても、曲線部分である先端から基端部までのどの部分も握ることができる形状であるため、本来の使用方法では望ましくないとされている曲線部分である先端を握ってしまうといった誤用を招来し易く、したがって、使用しにくいといった問題やこのような誤用が事故の原因となるといった問題もあった。
【０００９】
本発明は、かかる問題を改善するためになされたもので、先端部からの手の滑落を防止して、握力の弱い高齢者等であっても安全に使用することのできる補助手摺を提供するものである。
【課題を解決するための手段】
【００１０】
前述の目的を達成するため、本発明の補助手摺は、基端側が壁面又は支柱部材に取着される取着部とされる一方先端側が自由端とされ、前記壁面又は支柱部材から張り出した状態で設けられる補助手摺であって、手摺本体と、この手摺本体の先端に設けられ、該手摺本体に置かれた使用者の手が該手摺本体の先端から滑落するのを防止する滑落防止部と、を備えた、との構成を採用する。
【００１１】
本発明によれば、高齢者等が立ち上がったり腰を降ろしたりする際に自分の身体を支えようとして補助手摺の手摺本体の先端寄りに手を乗せ、例えば、立ち上がろうとしたときに、手摺本体を握る力が弱く手が手摺本体の先端に向かって滑っても、該先端に設けられている滑落防止部にぶつかった所で手が止まるので、手摺本体の先端から手が滑落するのが防止される。したがって、手摺からの手の滑落に起因する転倒事故を未然に防ぐことができ、高齢者等を骨折等の重傷事故から守ることができる。また、手摺本体ではなく滑落防止部をいきなり握ったとしても、それより受ける手の感触が手摺本体より受けるそれとは異なるため、使用者に間違った部位を握ろうとしていることを知らせて、正しく手摺本体を握るように促すことができ、誤用を防止することができる。
【００１２】
上記補助手摺にあっては、前記滑落防止部は、その表面が球面状とされているのが好ましい。
【００１３】
この場合、高齢者等が手摺の先端に衝突しても怪我をするおそれがない。また、手摺本体ではなく滑落防止部をいきなり握ったとしても、その表面が球面であり、手摺本体とは形状が明らかに異なるため、手が触れた瞬間に使用者に間違った部位を握ろうとしていることを知らせて、正しく手摺本体を握るように促すことができる。
【００１４】
また、上記補助手摺にあっては、一端が手摺本体の下面側に連結され、他端が手摺本体の取着部と同形態の取着部とされた支持杆を有することが好ましい。
【００１５】
この場合、補助手摺を壁面又は支柱部材に上下２点で支持することができることになるため、補助手摺全体の取付強度を確保することができる。
【００１６】
また、上記支持杆を有する補助手摺にあっては、この支持杆の一端は、手摺本体の先端において該手摺本体と連結されているのが好ましい。
【００１７】
この場合、手摺本体の先端に支持杆の一端が連なることになるため、手摺本体の先端に、例えば衣服を引っ掛けたりするおそれがなく、そのことに起因する衣服の破損や転倒事故を防止することができる。
【００１８】
また、上記補助手摺にあっては、滑落防止部の一部又は全体が蓄光部とされていてもよい。
【００１９】
この場合、夜間であっても補助手摺の位置を使用者に知らせることができるため、室内の照明をつけなくとも補助手摺の位置を認識して掴むことができる。特に、ベッドサイドにおいて有効である。
【発明の効果】
【００２０】
上述のように構成される本発明によれば、先端部からの手の滑落を防止して、握力の弱い高齢者等であっても安全に使用することのできる補助手摺を提供することができる。
【図面の簡単な説明】
【００２１】
【図１】本発明の一実施形態に係る補助手摺の斜視図である。
【図２】（ａ）は図１に示す補助手摺の平面図、（ｂ）は同側面図である。
【図３】図１に示す補助手摺の取付方法を示す斜視図である。
【図４】補助手摺の使用例を示す斜視図である。
【図５】補助手摺の他の使用例を示す斜視図である。
【図６】補助手摺のさらに他の使用例を示す斜視図である。
【図７】補助手摺の使用状態を示す側面図である。
【図８】図１に示す補助手摺の変形例を示す側面図である。
【図９】本発明の他の実施形態に係る補助手摺の側面図である。
【図１０】（ａ）は本発明のさらに他の実施形態に係る補助手摺の側面図、（ｂ）は（ａ）に示す補助手摺の変形例を示す側面図である。
【発明を実施するための形態】
【００２２】
以下、本発明の実施の形態について図を参照して説明する。
―実施形態１―
【００２３】
本実施形態について、図１〜図７を参照して説明する。図１は、補助手摺の斜視図、図２（ａ）は補助手摺の平面図、同図（ｂ）は補助手摺の側面図、図３は、補助手摺の取付方法を示す斜視図、図４は、補助手摺の使用例を示す斜視図、図５は、補助手摺の他の使用例を示す斜視図、図６は、補助手摺のさらに他の使用例を示す斜視図、図７は、補助手摺の使用状態を示す側面図である。
【００２４】
＜全体構成＞
この補助手摺１は、基端側が壁面Ｗ（図１０（ｂ）参照）又は支柱部材Ａ（図３〜図７参照）に取着される取着部２とされる一方先端側３が自由端とされ、壁面又は支柱部材Ａから張り出した状態で設けられるものである。
【００２５】
その構成は、手摺本体４と、この手摺本体４の先端に設けられ、手摺本体４に置かれた使用者Ｍ（図４、図７参照）の手Ｈが手摺本体４の先端から滑落するのを防止する滑落防止部５と、一端が手摺本体４の先端においてその下面側に連結され、他端が手摺本体４の取着部２と同形態の取着部２とされた支持杆６と、を含むものとなっている。以下、上記各部について詳述する。
【００２６】
＜手摺本体＞
手摺本体４は、断面形状が円形の棒状部材である。具体的には、例えば、薄肉の鋼管の外周面を合成樹脂層で被覆した軽量構造用の樹脂被覆鋼管や、アルミニウム管の外周面を合成樹脂層で被覆した樹脂被覆アルミニウム管、或いは合成樹脂等による軽量構造用管材、さらには合成樹脂や木材による中実の軽量構造用棒材が採用可能である。また、太さは、握りやすい寸法であれば任意であり、例えば、外径が３０ｍｍ〜４０ｍｍのものが適している。なお、断面形状は、握り易ければよく、上記の円形に限らず任意である。例えば、上面から両側面にかけては円弧面とし、下面を、使用者Ｍの手指に沿うような曲線で形成される凹凸面としてもよい。また、三角おむすびの頂点を下に向けたような異形断面としてもよい。
【００２７】
このようになる手摺本体４は、直線状に形成されており、その基端側が取着部２とされている。取着部２は、本実施形態では、図３〜７に示すように、手摺本体４とは別体とされており、支柱部材Ａに取着できる形態のものとされている。
【００２８】
具体的には、図１〜図３に示すように、手摺本体４の基端部が挿着されるソケット部２１と、このソケット部２１と手摺本体４の基端部とを固定する固定ねじ２２，２２と、支柱部材Ａを掴持するグリップ部２３と、このグリップ部２３を支柱に締着させる締結ねじ２４と、グリップ部２３と支柱部材Ａとの間の摩擦抵抗を増すための滑り止め部材２５とから構成されている。
【００２９】
ソケット部２１は、内径が手摺本体４の外径と略同じ寸法を有する円筒状に形成されており、その軸方向の中ほどには２箇所に亘ってねじ孔２１ａ，２１ａが設けられている。そして、これらねじ孔２１ａ，２１ａを介して固定ねじ２２，２２によりソケット部２１が手摺本体４の基端部に固定されるようになっている。
【００３０】
グリップ部２３は、半割部材２３ａ，２３ｂとこれら半割部材２３ａ，２３ｂを開閉自在に連結するヒンジ部２３ｃとから構成されている。
【００３１】
半割部材２３ａ，２３ｂの一方２３ａは、ヒンジ部２３ｃの反対側においてソケット部２１と一体的に設けられている。また、半割部材２３ａ，２３ｂの他方２３ｂには、ヒンジ部２３ｃの反対側にロック部２３ｄが設けられている。このロック部２３ｄは、ソケット部２１の基端部に設けられた嵌合凹部２１ｂ内に嵌合可能で、且つ、嵌合凹部２１ｂ内に嵌合された際にソケット部２１と外表面同士が連なるような形状に形成されている。さらに、嵌合凹部２１ｂの底面２１ｃには、凸部２１ｄが形成されるとともに、この凸部２１ｄに締結ねじ２４と螺合するねじ孔２１ｆが設けられている。また、他方の半割部材２３ｂの、嵌合凹部２１ｂと対峙する面２３ｅには、凸部２１ｄと嵌合する切欠部２３ｆが設けられるとともに、この切欠部２３ｆを貫通するように、締結ねじ２４のための挿通孔２３ｇが設けられている。
【００３２】
滑り止め部材２５は、支柱部材Ａの表面に対して大きな摩擦力を生じる、例えば、ポリアミド樹脂やエラストマー、ウレタンゴムといった材料からなるものが好適であり、半割部材２３ａ，２３ｂの各内面に貼着されている。
【００３３】
＜滑落防止部＞
滑落防止部５は、手摺本体４の先端部が挿着される第１ソケット部５１と、外径が手摺本体４の外径よりも大きい略球状の膨大部５３と、支持杆６の先端部が挿着される第２ソケット部５２とが一体的に形成されたものである。この滑落防止部５は、金属製であると握ったときに使用者Ｍの手Ｈに冷感を与えてしまうので、合成樹脂製であるのが好ましい。例えば、ポリプロピレン樹脂やアクリロニトリル・ブタジエン・スチレン樹脂（ＡＢＳ樹脂）などが好適である。なお、これ以外の合成樹脂であってもよい。
【００３４】
第１ソケット部５１は、内径が手摺本体４の外径と略同じ寸法を有する円筒状に形成されており、その軸方向の中ほどに、図２（ｂ）に示すように、２箇所に亘ってねじ孔５１ａ，５１ａが設けられている。そして、これらねじ孔５１ａ，５１ａを介して固定ねじ５４，５４により第１ソケット部５１が手摺本体４の先端部に固定されるようになっている。なお、それらねじ孔５１ａ，５１ａは、使用者の手と接触しにくい第１ソケット部５１の下面側に設けられるのが好ましい。
【００３５】
膨大部５３は、上記したように、外径が手摺本体４の外径よりも大きい略球状に形成されたものである。この膨大部５３の大きさ（外径）は、使用者Ｍの手Ｈが手摺本体４上をその先端側に向かって滑っていった際に、手Ｈが十分に引っかかって、手摺本体４の先端から手Ｈが滑落するのを防止し得る程度の大きさであればよく、特に限定されない。また、使用者の手の滑落を防止し得るのであれば、略球状以外の形状であってもよい。例えば、図示は省略するが、手摺本体４の基端側に臨む面が手摺本体４の上面から迫り上がるような凹面状とされる一方、その外側の面が外方に向かって膨出する凸面状とされ、これら２つの面の頂部が緩やかな曲面で連なったような形状が一例として挙げられる。
【００３６】
第２ソケット部５２は、第１ソケット部５１と相互の軸心が略直交する向きに設けられ、内径が支持杆６の外径と略同じ寸法を有する円筒状に形成されている。また、その軸方向の中ほどに、図２（ｂ）に示すように、２箇所に亘ってねじ孔５２ａ，５２ａが設けられている。そして、これらねじ孔５２ａ，５２ａを介して固定ねじ５５，５５により第２ソケット部５２が支持杆６の先端部に固定されるようになっている。なお、それらねじ孔５２ａ，５２ａは、使用者の手と接触しにくい第２ソケット部５２の内面側（取着部２に臨む面側）に設けられるのが好ましい。
【００３７】
＜支持杆＞
支持杆６は、手摺本体４と外径が同じであって且つ同じ材料から形成されたものであり、手摺本体４と平行する水平部６１と、この水平部６１の先端から曲線を描くように立ち上げられた湾曲部６２とからなっている。なお、この支持杆６は、使用者に積極的に握らせるものではないため、上記したような手摺本体４の形態の変形例を採用する必要は特になく、単純に断面円形とすればよい。このようになる支持杆６は、その一端、つまり湾曲部６２の先端が滑落防止部５の第２ソケット部５２に挿着された状態で、水平部６１と手摺本体４との間隔Ｄが１２０ｍｍ未満又は２３５ｍｍ超えとなるような形態をとるものが望ましい。これは、使用者Ｍの首や身体を挟む事故を防止する目的で制定されたＪＩＳ  Ｔ  ９２８１及びＪＩＳ  Ｔ  ９２５４に準拠するものであり、上記間隔Ｄが１２０ｍｍ〜２３５ｍｍの範囲であると、使用者Ｍが首などを支持杆６と手摺本体４との間に挟んで抜けなくなる事故を招来するおそれがある。望ましい間隔Ｄとしては２６５ｍｍ又はそれ以上であるが、この間隔Ｄが逆に広すぎると、使用者Ｍが誤って手摺本体４ではなく支持杆６を握ってしまうおそれがある。特に、使用者Ｍが、その者にとって定型の行動パターン以外の行動を外因によって取らされるとパニックに陥るような遂行機能障害をもっている場合、手摺本体４と支持杆６の握り間違えが重大な事故を招来するおそれがある。したがって、そのような観点にもたって最適な間隔Ｄを設定する必要がある。
【００３８】
このようになる支持杆６の他端、つまり水平部６１の基端側が取着部２とされている。この取着部２は、上記した手摺本体４における取着部２と同一構成であるので、説明は省略する。
【００３９】
以上説明した補助手摺１の長さＬとしては、１００ｍｍ〜３００ｍｍが好ましい。
【００４０】
また、上記補助手摺１において、滑落防止部５の一部又は全体が蓄光部とされていてもよい。この場合、夜間であっても補助手摺１の位置を使用者に知らせることができるため、室内の照明をつけなくとも補助手摺１の位置を認識して掴むことができる。特に、ベッドサイドにおいて有効である。
【００４１】
＜補助手摺の使用例＞
以上説明した補助手摺１は、図３及び図４に示すように、室内の天井と床との間に突っ張り状態で設置された突っ張り支柱Ｐの支柱部材Ａであったり、図５に示すように、ベッドサイドに設置された立ち上がり補助具Ｓの支柱部材Ａであったり、図６に示すように、ソファの間に設置された、立ち上がり補助具Ｓを備えた突っ張り支柱Ｐの支柱部材Ａなどに、取着部２を介して取り付けられる。その高さ位置は、例えば、図４に示すような玄関Ｅの上がり框Ｋ付近に設置された突っ張り支柱Ｐに取り付ける場合、使用者Ｍが上がり框Ｋから玄関Ｅに降りる際に手摺本体４を確実に握ることができる位置或いは滑落防止部５をしっかりと握ることができる位置とされる。また、図５に示すようなベッドサイドの立ち上がり補助具Ｔに取り付ける場合、使用者がベッドＢから足を降ろしてベッドＢ上に腰掛けた状態で手摺本体４を確実に握ることができる位置とされる。また、図６に示すようなソファＦの間に設置された立ち上がり補助具Ｓに取り付ける場合も、上記の例と同様、ソファＦに腰掛けた状態で手摺本体４を確実に握ることができる位置とされる。
【００４２】
図７は、ソファＦの間に設置された立ち上がり補助具Ｓ付き突っ張り支柱Ｐの支柱部材Ａに補助手摺１を取り付けた例において、使用者Ｍが立ち上がろうとしている状態を示す。使用者Ｍは、まず座っている状態で補助手摺１の手摺本体４を握り、その後、図７に示すように、手摺本体４に握った手Ｈで身体を支えつつ、肘を伸ばすようにして立ち上がる。その際、補助手摺１は、座った状態における上体の位置よりも前方にあるため、立ち上がり動作をスムースに行うことができる。また、立ち上がり途中において、上体が前屈みとなることから、手摺本体４をしっかりと握っていないと手Ｈが手摺本体４の先端側に滑ることがある。しかし、滑落防止部５が手摺本体４の先端に設けられているため、手Ｈが滑っても滑落防止部５で受け止められる。これにより、立ち上がり動作中に手Ｈが補助手摺１の先端から滑落して転倒するといった事故が生じない。なお、ソファＦに腰掛ける際の動作においても、上記立ち上がり動作と同様に、手Ｈが補助手摺１の先端から滑落して転倒するといった事故が生じない。
【００４３】
―変形例―
本発明に係る補助手摺１は、上記の実施形態に限るものではなく、例えば、図８や図９に示すような形態のものであってもよい。
【００４４】
図８に示す例は、支持杆６の形態を、手摺本体４に対して斜めになるようにしたものである。その他の各部の構成は、上記の例と同じであるので、同一構成要素に同一符号を付してその説明は省略する。
【００４５】
図９に示す例は、支持杆６の一端を手摺本体４の中ほどに、その下方から受座６３を介して連結したものである。この例では、滑落防止部５は、一つのソケット部５１を有するのみであるので、全体の形状が、白熱電球に似た形状のものとなっている。なお、その他の各部の構成は、上記の例と同じであるので、同一構成要素に同一符号を付してその説明は省略する。
【００４６】
―実施形態２―
上記の実施形態では、補助手摺１は、手摺本体４と支持杆６とを備えたものであるが、図１０（ａ）及び同図（ｂ）に示すように、手摺本体４だけで構成されたものであってもよい。
【００４７】
また、取着部２についても、上記の例及び図１０（ａ）で示すような、支柱部材Ａを掴持するような形態のものに限らず、図１０（ｂ）に示すように、壁面Ｗに取り付ける形態のものであってもよい。具体的には、例えば、周知の手摺用ブラケットにみられるような、壁面Ｗに取着される取付座２６と、この取付座２６の中央から突設されたソケット部２７とから構成されたものであってもよい。この取付座２６は、図示しない固定ねじにより壁面Ｗに取着される。また、手摺本体４の基端部と上記ソケット部２７との結合も上記の例と同様である。
【００４８】
―その他の実施形態―
以上説明した例では、滑落防止部５は、膨大部５３を有するものであり、手摺本体４の先端に取り付けられるものであるが、これに限らず、図示はしないが、例えば手摺本体４の先端部において、その上面に手が滑りにくい材質（例えば、合成ゴム）又は加工を施した部材を埋設したものであってもよい。
【符号の説明】
【００４９】
１  補助手摺
２  取着部
３  先端側
４  手摺本体
５  滑落防止部
６  支持杆
【図１】
2018178606.tif 000003
【図２】
2018178606.tif 000004
【図３】
2018178606.tif 000005
【図４】
2018178606.tif 000006
【図５】
2018178606.tif 000007
【図６】
2018178606.tif 000008
【図７】
2018178606.tif 000009
【図８】
2018178606.tif 000010
【図９】
2018178606.tif 000011
【図１０】
2018178606.tif 000012